(57)【要約】【課題】手の挿入方向を指定しなくても効率的な乾燥が可能で、乾燥室内の乾燥状態も保ちながら乾燥時間を短縮させることができる手乾燥装置を提供する。【解決手段】外郭を形成する本体１と、前記本体１に配置された空気流を送風する電動送風機２と、前記本体１の開放部から挿入された手を乾燥する乾燥室３と、前記乾燥室３に挿入された手を検知し前記電動送風機２を動作させる手検知部４と、前記本体１下面に配置されている吸気口５と、前記吸気口５から吸気した空気が前記電動送風機２を通り、空気流として送風されるノズル部６と、前記手検知部４で検知した入力信号を処理し、前記電動送風機２を始動させる制御部７と、前記乾燥室３の底部に溜まった水分を排水させる排水口８とを備えた構成として、前記手検知部４に設けられたマトリクス状に配置された手検知素子で、手の平及び甲を認識する。【選択図】図１
2011177464.tif 000002
【特許請求の範囲】
【請求項１】
外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し、前記電動送風機を始動させる制御部と、前記乾燥室の底部に溜まった水分を排水させる排水口とを備え、前記手検知部は、乾燥室内の４方向に配置され、手の検知だけでなく手の平及び甲を認識することを特徴とする手乾燥装置。
【請求項２】
前記第１手検知部と第２手検知部と制御部は、手の検知面積より、手の平及び甲の向きを判断可能とし、ノズル部６より手の平及び甲に向けて送風を開始することを特徴とする請求項１記載の手乾燥装置。
【請求項３】
送風を開始後、手検知部は常時手の挿入方向を検知し、制御部が手の平及び甲を分析することを特徴とする請求項１または２記載の手乾燥装置。
【請求項４】
前記乾燥室は２つの空間に分離された構造であり、第１乾燥室と第２乾燥室の動作は独立し片手ずつ手の動きに追従して、手の平及び甲に向けて送風することを特徴とする請求項１〜３のいずれか一つに記載の手乾燥装置。
【請求項５】
第１乾燥室と第２乾燥室２の天井面には、手首から指先へ送風可能な第１３のノズル部を有することを特徴とする請求項４記載の手乾燥装置。
【請求項６】
手検知部の手検知が解除されて、各乾燥室側部に設けられた４つのノズル部の送風が停止後、第１３ノズル部のみ遅延運転として送風することを特徴とする請求項４または５記載の手乾燥装置。
【請求項７】
第３乾燥室は丸柱の構造であることを特徴とする請求項１〜６のいずれか一つに記載の手乾燥装置。
【請求項８】
前記第３乾燥室の内部にはノズルユニットを設け、ノズルユニットは可変幅を持ち、往復運動をさせることを特徴とする請求項７記載の手乾燥装置。
【請求項９】
前記乾燥室の内部にはノズルユニットを設け、ノズルユニットが回転運動する構造であることを特徴とする請求項７または８記載の手乾燥装置。
【請求項１０】
回転可動するノズルユニットは、正回転と逆回転の切り替えが可能であることを特徴とする請求項７〜９のいずれか一つに記載の手乾燥装置。
【請求項１１】
回転可動するノズルユニットを２列設けていることを特徴とする請求項７〜１０のいずれか一つに記載の手乾燥装置。
【請求項１２】
２列設けているノズルユニットは、独立して回転可動が可能な構造であり、お互いの回転運動の速度を変えることを特徴とする請求項７〜１１のいずれか一つに記載の手乾燥装置。
【請求項１３】
２列設けているノズルユニットは、独立して可動が可能な構造であり、正回転と逆回転を同時に行なうことを特徴とする請求項７〜１２のいずれか一つに記載の手乾燥装置。
【請求項１４】
２列設けているノズルユニットは、始動から停止までのノズル部の回転可動の動きを、一連の運転パターンにて記憶させる記憶装置を有することを特徴とする請求項７〜１３のいずれか一つに記載の手乾燥装置。
【発明の詳細な説明】
【技術分野】
【０００１】
本発明は、手を効率的に乾燥させる手乾燥装置に関するものである。
【背景技術】
【０００２】
従来、この種の手乾燥装置は、洗浄後の濡れた手を衛生的に乾燥させる装置として、高速空気流により手に付着した水滴を吹き飛ばして乾燥させる手乾燥装置が知られている（例えば、特許文献１参照）。
【０００３】
また、この装置は、本体の乾燥室に手を挿入するための開口部が設けられ、乾燥室の周辺に設けられた赤外線発光素子と赤外線受光素子からなる手検出部が設けられている。
【０００４】
さらに、手検出部により手を検知すると本体に内蔵された送風装置が作動し、吹き出し口から乾燥室へ高速空気流が噴射して、手に付着した水分を吹き飛ばして、手を乾燥させる構成となっていた。
【先行技術文献】
【特許文献】
【０００５】
【特許文献１】特開平１１−３１８７６０号公報
【発明の概要】
【発明が解決しようとする課題】
【０００６】
このような従来の手乾燥装置では、乾燥効率を向上させるために、高速空気流による手に付着した水分の飛散を効率的に行うために風の流れの改善や風量の改善が課題であった。
【０００７】
また、使用者は、手の平及び甲をノズル部に向ける必要があり、使用者が手の挿入方向を合わせたり、乾燥室の構造で使用者に手の挿入方向を限定させたりしていた。
【０００８】
さらに、使用者は早く乾燥させるために、手もみ動作をしながら手を乾燥させているという課題があった。
【０００９】
本発明は、このような従来の課題を解決するもので、高速空気流による手に付着した水分の飛散を効率的に行うために、風の流れの改善と風量を増加させるだけでなく、手の挿入方向を指定しなくても効率的な乾燥が可能で、乾燥時間を短縮させることができる手乾燥装置を提供する。
【課題を解決するための手段】
【００１０】
前記課題を解決するために、本発明の手乾燥装置は、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し、前記電動送風機を始動させる制御部と、前記乾燥室の底部に溜まった水分を排水させる排水口とを備え、前記手検知部は、乾燥室内の４方向に配置され、手の検知だけでなく手の平及び甲を認識することを特徴とするものである。
【００１１】
この手段により、効率的に水分を飛散するために、手の挿入方向を分析し、手の平及び甲を分析するという効果のある手乾燥装置が得られる。
【００１２】
また、他の手段は、前記第１手検知部と第２手検知部と制御部は、手の平及び甲に向けて送風を開始するものである。
【００１３】
この手段により、効率的に水分を飛散するために、平面の面積が多い手の平及び甲に送風するという効果のある手乾燥装置が得られる。
【００１４】
また、他の手段は、送風を開始後、手検知部は常時手の挿入方向を検知し、制御部が手の平及び甲を分析するものである。
【００１５】
この手段により、効率的に水分を飛散するために、手の動きに追従して、手の平及び手の甲に向けて送風し続けるという効果のある手乾燥装置が得られる。
【００１６】
また、他の手段は、前記乾燥室は２つの空間に分離された構造であり、第１乾燥室と第２乾燥室の動作は独立しており、片手ずつの手の動きに追従して、手の平及び甲に向けて送風するものである。
【００１７】
この手段により、片手毎に効率的に水分を飛散するために、手の動きに追従して、手の平及び手の甲に送風し続けるという効果のある手乾燥装置が得られる。
【００１８】
また、他の手段は、第１乾燥室と第２乾燥室の天井面には、手首から指先へ送風可能な第１３のノズル部を有することを特徴とするものである。
【００１９】
この手段により、手に付着した水分を手首から指先に向けて送風させて、乾燥室底部に飛散させるという効果のある手乾燥装置が得られる。
【００２０】
また、他の手段は、手検知部の手検知が解除されて、各乾燥室側部に設けられた４つのノズル部の送風が停止後、第１３ノズル部のみ遅延運転として送風するものである。
【００２１】
この手段により、乾燥室から手を引き抜く最後まで、手に付着した水分を手首から指先に向けて送風させて、乾燥室底部に飛散させるという効果のある手乾燥装置が得られる。
【００２２】
また、他の手段は、第３乾燥室は丸柱の構造のものである。
【００２３】
この手段により、手の位置（乾燥室の中心）とノズル部の距離を一定に保ち、手への送風を均一にすることで送風むらを低減するという効果のある手乾燥装置が得られる。
【００２４】
また、他の手段は、前記第３乾燥室の内部にはノズルユニットを設け、ノズルユニットは可変幅を持ち、往復運動をさせるものである。
【００２５】
この手段により、ノズル部が可動により、手もみ動作なしで水分を飛散さるという効果のある手乾燥装置が得られる。
【００２６】
また、他の手段は、前記乾燥室３の内部にはノズルユニットを設け、ノズルユニットが回転運動する構造のものである。
【００２７】
この手段により、ノズル部の回転可動により、手もみ動作なしで水分を飛散さるという効果のある手乾燥装置が得られる。
【００２８】
また、他の手段は、回転可動するノズルユニットは、正回転と逆回転の切り替えが可能なものである。
【００２９】
この手段により、乾燥室内の送風状況を変化させることで、手に付着した水分を搾り出して飛散させるという効果のある手乾燥装置が得られる。
【００３０】
また、他の手段は、回転可動するノズルユニットを２列設けたものである。
【００３１】
この手段により、送風量を増加させて、飛散効果を向上させるという効果のある手乾燥装置が得られる。
【００３２】
また、他の手段は、２列設けているノズルユニットは、独立して回転可動が可能な構造であり、お互いの回転運動の速度を変えたものである。
【００３３】
この手段により、送風パターンを変更することで、乾燥室内部の気流を変更させることで、飛散効果を向上させるという効果のある手乾燥装置が得られる。
【００３４】
また、他の手段は、２列設けているノズルユニットは、独立して可動が可能な構造であり、正回転と逆回転を同時に行なうものである。
【００３５】
この手段により、送風パターンを変更することで、乾燥室内部の気流を錯乱させることで、飛散効果を向上させるという効果のある手乾燥装置が得られる。
【００３６】
また、他の手段は、２列設けているノズルユニットは、始動から停止までのノズル部の回転可動の動きを、一連の運転パターンにて記憶させる記憶装置を有するものである。
【００３７】
この手段により、送風パターンを構築することで、最適な水分飛散方法で効率的かつ効果的に向上させるという効果のある手乾燥装置が得られる。
【発明の効果】
【００３８】
本発明の手乾燥装置によれば、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し、前記電動送風機を始動させる制御部と、前記乾燥室の底部に溜まった水分を排水させる排水口とを備え、前記手検知部は、乾燥室内の４方向に配置され、手の検知だけでなく手の平及び甲を認識することを特徴とする手乾燥装置であり、手検知部に設けられたマトリクス状に配置された手検知素子で、検知範囲から手の平及び甲を平面の面積の大きさを認識することで、効率的に水分を飛散するために、手の挿入方向を分析し、手の平及び甲を分析するという効果のある手乾燥装置を提供することができる。
【図面の簡単な説明】
【００３９】
【図１】本発明の実施の形態１の手乾燥装置を示す側断面図
【図２】本発明の実施の形態１の手乾燥装置を示す斜上方図
【図３】本発明の実施の形態２の手乾燥装置を示す斜上方図
【図４】本発明の実施の形態２の手乾燥装置を示す正面断面図
【図５】本発明の実施の形態３の手乾燥装置を示す斜上方図
【図６】本発明の実施の形態３の手乾燥装置を示す真上方図
【図７】本発明の実施の形態３の手乾燥装置を示す正面断面図
【図８】本発明の実施の形態４の手乾燥装置を示す正面断面図
【発明を実施するための形態】
【００４０】
請求項１記載の発明は、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し、前記電動送風機を始動させる制御部と、前記乾燥室の底部に溜まった水分を排水させる排水口とを備え、前記手検知部は、乾燥室内の４方向に配置され、手の検知だけでなく手の平及び甲を認識することを特徴とするものであって、手検知部に設けられたマトリクス状に配置された手検知素子で、検知範囲から手の平及び甲を平面の面積の大きさを認識する作用を有する。
【００４１】
また、前記第１手検知部と第２手検知部と制御部は、手の平及び甲に向けて送風を開始することを特徴とするものであって、手検知範囲から制御部の判断で、始動時に送風させるノズル部を決定する作用を有する。
【００４２】
また、送風を開始後、手検知部は常時手の挿入方向を検知し、制御部が手の平及び甲を分析することを特徴とするものであって、手検知部に設けられたマトリクス状に配置された手検知素子で、随時検知状況を認識し、制御部に伝達し、ノズル部からの送風量を変更する作用を有する。
【００４３】
また、前記乾燥室は２つの空間に分離された構造であり、第１乾燥室と第２乾燥室の動作は独立しており、片手ずつの手の動きに追従して、手の平及び甲に向けて送風することを特徴とするものであって、各乾燥室の手検知範囲から制御部の判断で、各乾燥室へ送風させるノズル部への送風量を変更する作用を有する。
【００４４】
また、第１乾燥室と第２乾燥室の天井面には、手首から指先へ送風可能な第１３のノズル部を有することを特徴とするものであって、第１３のノズル部にて、乾燥室底部へ向けて送風する作用を有する。
【００４５】
また、手検知部の手検知が解除されて、各乾燥室側部に設けられた４つのノズル部の送風が停止後、第１３ノズル部のみ遅延運転として送風することを特徴とするものであって、遅延運転時に第１３のノズル部にて、乾燥室底部へ向けて送風する作用を有する。
【００４６】
また、第３乾燥室は丸柱の構造であることを特徴とするものであって、ノズルニット内のノズル部が、乾燥室の壁面に配置され、手を中心にして可動する作用を有する。
【００４７】
また、前記第３乾燥室の内部にはノズルユニットを設け、ノズルユニットは可変幅を持ち、往復運動をさせることを特徴とするものであって、乾燥室のノズルユニットを可動手段にて往復運動させることで、ノズル部を可動させる作用を有する。
【００４８】
また、前記乾燥室３の内部にはノズルユニットを設け、ノズルユニットが回転運動する構造であることを特徴とするものであって、乾燥室のノズルユニットが回転運動し、ノズル部が送風しながら回転可動する作用を有する。
【００４９】
また、回転可動するノズルユニットは、正回転と逆回転の切り替えが可能であることを特徴とするものであって、ノズルユニットを正回転と逆回転を可能とするために、ノズル可動手段の回転を正回転と逆回転させる作用を有する。
【００５０】
また、回転可動するノズルユニットを２列設けているものであって、ノズルユニットを前後に２つ設けて、乾燥室内の送風量を増加させて送風することができる作用を有する。
【００５１】
また、２列設けているノズルユニットは、独立して回転可動が可能な構造であり、お互いの回転運動の速度を変えることを特徴とするものであって、前後に設けたノズルユニットは、２個設けたノズル可動手段にて、個別に正回転の回転運速度の変更を可能とする作用を有する。
【００５２】
また、２列設けているノズルユニットは、独立して可動が可能な構造であり、正回転と逆回転を同時に行なうことを特徴とするものであって、前後に設けたノズルユニットは、２個設けたノズル可動手段の動作をお互い逆方向に回転させることで、片方が正回転でもう片方が逆回転の回転運動を可能とすることができる作用を有する。
【００５３】
また、２列設けているノズルユニットは、始動から停止までのノズル部の回転可動の動きを、一連の運転パターンにて記憶させる記憶装置を有することであって、前後に設けたノズルユニットは、手検知後に制御部からの指示で、ノズル可動手段に最適な回転指示をパターン化して伝える作用を有する。
【００５４】
以下、本発明の実施の形態について図面を参照しながら説明する。
【００５５】
（実施の形態１）
図１および図２は、本実施の形態１における手乾燥装置の側断面図と斜上方図を示す。
【００５６】
図１の側断面図については、複数の同一機能部品は省略して１つのみを記載することで、製品としての機能を説明している。
【００５７】
図２においては、同一機能部品を省略しないで、斜上方より機能部品の配置を説明することで、本実施の形態１の製品の構成を説明している。
【００５８】
図１に示すように、外郭を形成する本体１と、前記本体１に配置された空気流を送風する電動送風機２と、前記本体１の開放部から挿入された手を乾燥する乾燥室３と、前記乾燥室３に挿入された手を検知し前記電動送風機２を動作させる手検知部４と、前記本体１下面に配置されている吸気口５と、前記吸気口５から吸気した空気が前記電動送風機２を通り、空気流として送風されるノズル部６と、前記手検知部４で検知した入力信号を処理し、前記電動送風機２を始動させる制御部７と、前記乾燥室３の底部に溜まった水分を排水させる排水口８とを備え、前記手検知部４は、乾燥室３内の４方向に配置され、手の検知だけでなく手の平及び甲を認識することを特徴とする手乾燥装置である。
【００５９】
また、前記手検知部４の一例として、赤外線受発光素子や側距センサーなどを用いて、前記乾燥室３内の手の抜き差しを検知することができる。
【００６０】
さらに、前記制御部７は、前記手検知部４からの信号により、挿入された手を検知している間、前記電動送風機２を動作し続け、手が非検知状態になったら、前記電動送風機２が停止する構成を備える。
【００６１】
また、吸気口５は外気から空気を取り入れ、前記電動送風機２を通過して、前記乾燥室３に空気を供給することができる。
【００６２】
さらに、前記乾燥室３の下部に設けられた排水口８は、前記電動送風機２にて飛散された水分が溜り、ドレン配管９を経由してドレンタンク１０に溜まる構造である。そして、前記ドレンタンク１０に溜まった水分は清掃者が定期的に捨てることで使用されている。
【００６３】
また、ノズル部６は、前記乾燥室３内に４ヶ所に配置され、前記乾燥室３内の中心に向けて送風することで、使用者の手には４方向から送風されるために手全体に風をあてることができる。
【００６４】
また、風路１１は、前記吸気口５から前記電動送風機２を通過して、前記ノズル部６へ向かう経路であり、その前記風路１１の途中にダンパー１２を設け前記ノズル部６への送風量の切り換えを行っており、ノズル部６への風量調整をすることができる構成とする。
【００６５】
図２に示すように、乾燥室３周辺に送信と受信機能を有し、対角に設置されている第１手検知部４ａと第２手検知部４ｂが配置されている。
【００６６】
また、第１手検知部４ａと第２手検知部４ｂの一例として、手検知部４内に複数個の赤外線受発光素子などが設けられている。
【００６７】
さらに、縦方向を検知している前記第１手検知部４ａと横方向を検知している前記第２手検知部４ｂでマトリクス状に検知することで、空間としてどの素子が手検知したかを制御部７が確認し、空間的に平面が多い部分を分析することで、手の及び甲側と判断することができる。
【００６８】
また、前記第１手検知部と第２手検知部と制御部は、手の検知面積より、手の平及び甲の向きを判断可能とし、ノズル部６より手の平及び甲に向けて送風を開始することを特徴とする構成としている。
【００６９】
さらに、前記第１手検知部４ａと前記第２手検知部４ｂが手検知し、制御部７は挿入された手の挿入方向を分析し、ダンパー１２にて手の平及び甲側に送風できるように、前記ノズル部６を動作させることで送風への準備を瞬時に行うこととする。
【００７０】
また、送風開始から手の平及び甲に向けて送風することができる。
【００７１】
つまり、送風を開始後、手検知部４は常時手の挿入方向を検知し、制御部７が手の平及び甲を分析することを特徴とする構成としている。
【００７２】
また、前記第１手検知部４ａと前記第２手検知部４ｂが手検知し、制御部７は挿入された手の挿入方向を始動後も分析し、手の平及び甲の向きに合わせて、ダンパー１２を切り替えて追従動作させることで、常時、手の平及び甲に向けて送風するものである。
【００７３】
上記構成により、手検知部４に設けられたマトリクス状に配置された手検知素子で、検知範囲から手の平及び甲を平面の面積の大きさを認識し、手の挿入方向を分析し、手の平及び甲を分析することで、効率的に水分を飛散することができる。
【００７４】
また、手検知範囲から制御部７の判断で、始動時に送風させるノズル部６を決定し、平面の面積が多い手の平及び甲に送風することで効率的に水分を飛散することができる。
【００７５】
さらに、第１ノズル部６ａと第２ノズル部６ｂと第３ノズル部６ｃと第４ノズル部６ｄの内で送風するノズルが決定される方法は、第１手検知部４ａと第２手検知部４ｂの検知面積が大きい面が手の平及び甲と仮定するため、各手検知部４と平行な位置関係にある２方向のノズル部６が選択されることになる。そして、手の平と甲は１８０度反対の位置関係のあるため、ノズル部６も常時対角に配置されている第１ノズル部６ａと第２ノズル部６ｂ、第３ノズル部６ｃと第４ノズル部６ｄがペアの組合せとなって決定されることになる。
【００７６】
また、手検知部４に設けられたマトリクス状に配置された手検知素子で、随時検知状況を認識し、制御部７に伝達し、ノズル部６からの送風量を変更し、効率的に水分を飛散するために、手の動きに追従して、手の平及び手の甲に向けて送風し続けることとなる。
【００７７】
（実施の形態２）
図３および図４は、本発明の実施の形態２の手乾燥装置を示す斜上方図と正面断面図を示す。
【００７８】
図３に示すように、前記乾燥室３は２つの空間に分離された構造であり、第１乾燥室３ａと第２乾燥室３ｂの動作は独立しており、片手ずつの手の動きに追従して、手の平及び甲に向けて送風する構成としている。
【００７９】
また、２つに分離された乾燥室は、各構成部品を必要に応じて２箇所設け、個々に運転を可能とする構成としている。
【００８０】
さらに、第１乾燥室３ａの動作について説明すると、第３手検知部４ｃと第４手検知部４ｄが手検知することで、前記制御部７の指示で、第１電動送風機２ａが動作し、第５ノズル部６ｅと第６ノズル部６ｆと第７ノズル部６ｇと第８ノズル部６ｈから使用者の片側の手の平及び甲に向けて高速空気流を送風し、手から飛散させた水分は、第１乾燥室３ａ内で回収され、第１排水口８ａから第１ドレン配管９ａを経由して、前記ドレンタンク１０に水分が集められる構成とする。
【００８１】
また、第１電動送風機２ａと第５ノズル部６ｅから第８ノズル部６ｈ間は、第１風路１１ａとし第１乾燥室３ａに送り込む送風のみの風路であり、第１ダンパー１２ａにて各ノズル部の風量切り換えをしながら送風している。
【００８２】
さらに、第２乾燥室３ｂの動作について説明すると、第５手検知部４ｅと第６手検知部４ｆが手検知することで、前記制御部７の指示で、第２電動送風機２ｂが動作し、第９ノズル部６ｉと第１０ノズル部６ｊと第１１ノズル部６ｋと第１２ノズル部６ｌから使用者の片側の手の平及び甲に向けて高速空気流を送風し、手から飛散させた水分は、第２乾燥室３ｂ内で回収され、第２排水口８ｂから第２ドレン配管９ｂを経由して、前記ドレンタンク１０に水分が集められる構成とする。
【００８３】
また、第２電動送風機２ｂと第９ノズル部６ｉから第１２ノズル部６ｌ間は、第２風路１１ｂとし第２乾燥室３ｂに送り込む送風のみの風路１１であり、第２ダンパー１２ｂにて各ノズル部の風量切り換えをしながら送風している。
【００８４】
さらに、図４に示すように、第１乾燥室３ａと第２乾燥室３ｂの天井面には、手首から指先へ送風可能な第１３ノズル部６ｍを有する構成としている。
【００８５】
また、第１乾燥室３ａと第２乾燥室３ｂの上部に新たな第１３ノズル部６ｍを設け、第１乾燥室３ａと第２乾燥室３ｂの両方の乾燥室３に向けて送風を可能とするように、第３電動送風機２ｃを設け、第３風路１１ｃにて第１３ノズル部６ｍに送風することができる。
【００８６】
さらに、手検知部４の手検知が解除されて、乾燥室３側部に設けられた４つのノズル部の送風が停止後、第１３ノズル部６ｍのみ遅延運転として送風することを特徴とする構成としている。
【００８７】
つまり、第１乾燥室３ａと第２乾燥室３ｂの上部に新たな第１３ノズル部６ｍを設け、第３手検知部４ｃから第６手検知部４ｆの手検知にて、第３電動送風機２ｃから第３風路１１ｃを通って第１３ノズル部６ｍに送風される。
【００８８】
さらに、第３手検知部４ｃから第６手検知部４ｆが手検知しなくなった時に、前記制御部７は前記第１電動送風機２ａと前記第２電動送風機２ｂを運転から停止に切り換えるが、前記第３電動送風機２ｃのみ遅延運転させることにする。
【００８９】
また、遅延運転は前記制御部７が行い、遅延時間は手を引き抜いてから２〜３秒程度とする。
【００９０】
さらに、遅延時間を長くすると、使用者は誤動作と誤解を招く恐れがあるためである。
【００９１】
さらに、遅延運転は、第１乾燥室３ａと第２乾燥室３ｂの手検知部である第３手検知部４ｃと第６手検知部４ｆの両方が検知しなくなった時から開始することとする構成する。
【００９２】
上記構成により、乾燥室３の手検知範囲から制御部７の判断で、乾燥室３へ送風させるノズル部６への送風量を変更し、片手毎に手の動きに追従して、手の平及び手の甲に送風し続けることで効率的に水分を飛散させることができる。
【００９３】
また、第１３ノズル部６ｍにて、乾燥室３底部へ向けて送風し、手に付着した水分を手首から指先に向けて送風させて、乾燥室３底部に飛散させることとなる。
【００９４】
さらに、遅延運転時に第１３のノズル部にて、乾燥室３底部へ向けて送風し、乾燥室３から手を引き抜く最後まで、手に付着した水分を手首から指先に向けて送風させて、乾燥室３底部に飛散させることとなる。
【００９５】
（実施の形態３）
図５および図６および図７は、本発明の実施の形態３の手乾燥装置を示す斜上方図と真上方図と正面断面図を示す。
【００９６】
図５に示すように、乾燥室３ｃは円筒の構造であることを特徴とする構成としている。
【００９７】
また、本体１の内部に、円筒状の乾燥室３ｃを設けて、前記乾燥室３ｃ周辺には第７手検知部４ｇと第８手検知部４ｈにて、手検知している。
【００９８】
さらに、乾燥室３ｃは、内部には乾燥室と同形状のノズルユニット１３（乾燥室の内側に沿わしている）を配置している。
【００９９】
また、前記ノズルユニット１３には、第１４ノズル部６ｎと第１５ノズル部６ｏと第１６ノズル部６ｐと第１７ノズル部６ｑが配置されている。
【０１００】
さらに、図６に示すように前記乾燥室３ｃの内部に設けたノズルユニット１３は可動幅を持ち、往復運動をさせる構成としている。
【０１０１】
また、図７に示すように、前記ノズルユニット１３を可動させるために設けられたノズル可動手段１４は、制御部７から指示で可動幅にて往復運動を可能としている。
【０１０２】
また、可動幅は、前記制御部７に一例として１５度を登録することで、ノズル可動手段１４は、片側１５度で往復運動としては３０度の可動幅で前記ノズルユニット１３を往復運動しながら、各ノズル部から送風することができる。
【０１０３】
さらに、前記乾燥室３の内部に設けたノズルユニット１３は第１４ノズル部６ｎと第１５ノズル部６ｏと第１６ノズル部６ｐと第１７ノズル部６ｑが回転運動する構造である構成としている。
【０１０４】
つまり、前記ノズル可動手段１４は、往復運動だけでなく、回転運動が可能な可動手段であり、前記制御部７からの指示で回転させることができる。
【０１０５】
そして、前記ノズル可動手段１４が回転運動することで、第１４ノズル部６ｎと第１５ノズル部６ｏと第１６ノズル部６ｐと第１７ノズル部６ｑは回転しながら送風することができる。
【０１０６】
また、回転可動するノズルユニット１３は、正回転と逆回転の切り替えが可能である構成としている。
【０１０７】
さらに、前記ノズル可動手段１４は、正回転と逆回転の回転運動が可能な可動手段であり、前記制御部７からの指示で運転を切り替えることができる。
【０１０８】
つまり、前記ノズル可動手段１４が正回転と逆回転の回転運動することで、第１４ノズル部６ｎと第１５ノズル部６ｏと第１６ノズル部６ｐと第１７ノズル部６ｑは回転しながら送風することができる構成する。
【０１０９】
上記構成により、ノズルユニット１３内のノズル部６が、乾燥室の壁面に配置され、手を中心にして可動し、手の位置（乾燥室の中心）とノズル部の距離を一定に保ち、手への送風を均一にすることで送風むらを低減することとなる。
【０１１０】
また、乾燥室のノズルユニット１３をノズル可動手段１４にて往復運動させることで、ノズル部６を可動し、ノズル部６が可動により、手もみ動作なしで水分を飛散さることとなる。
【０１１１】
さらに、乾燥室３ｃのノズルユニット１３が回転運動し、ノズル部６が送風しながら回転可動し、ノズル部６の回転可動により、手もみ動作なしで水分を飛散さることとなる。
【０１１２】
また、ノズルユニット１３を正回転と逆回転を可能とするために、ノズル可動手段１４の回転を正回転と逆回転し、乾燥室３ｃ内の送風状況を変化させることで、手に付着した水分を搾り出して飛散させることとなる。
【０１１３】
（実施の形態４）
図８は、本発明の実施の形態４の手乾燥装置を示す正面断面図を示す。
【０１１４】
図８に示すように、回転可動するノズルユニット１３を２列設けている構成としている。
【０１１５】
また、乾燥室３ｃには第１ノズルユニット１３ａと第２ノズルユニット１３ｂを備え、各ノズルユニットを可動させるために、第１ノズル可動手段１４ａと第２ノズル可動手段１４ｂを配置している。
【０１１６】
さらに、前記制御部７からの指示で、第１ノズルユニット１３ａと第２ノズルユニット１３ｂを回転運動させる構成としている。
【０１１７】
また、２列設けているノズルユニット１３は、独立して回転可動が可能な構造であり、お互いの回転運動の速度を変える構成としている。
【０１１８】
さらに、第１ノズル可動手段１４ａと第２ノズル可動手段１４ｂを回転運動させる前記制御部７は、別々の指示回転数指示を出すことができる。
【０１１９】
また、第１ノズルユニット１３ａと第２ノズルユニット１３ｂは、前記乾燥室３ｃ内を異なる速度で回転運動しながら送風することができる。
【０１２０】
さらに、２列設けているノズルユニット１３は、独立して可動が可能な構造であり、正回転と逆回転を同時に行なう構成としている。
【０１２１】
また、第１ノズル可動手段１４ａと第２ノズル可動手段１４ｂは、正回転と逆回転の回転運動が可能なために、前記制御部７からの別々の指示で運転することができる。
【０１２２】
さらに、第１ノズルユニット１３ａと第２ノズルユニット１３ｂは、前記乾燥室３ｃ内を異なる回転方向で回転運動しながら送風することができる。
【０１２３】
また、２列設けているノズルユニット１３は、始動から停止までのノズル部の回転可動の動きを、一連の運転パターンにて記憶させる記憶装置１５を有する構成としている。
【０１２４】
また、前記制御部７内に設けられた記憶装置１５は、一例としてＥＥＰＲＯＭなどの記憶装置が一般的であるが、データの書込みと読み出しが可能なものであれば特に限定しない構成する。
【０１２５】
上記構成により、ノズルユニット１３を２列設けて、乾燥室内の送風量を増加させて送風し、送風量を増加させて、飛散効果を向上させることとなる。
【０１２６】
また、前後に設けたノズルユニット１３は、２個設けたノズル可動手段１４にて、個別に正回転の回転運速度の変更を可能とし、送風パターンを変更することで、乾燥室３内部の気流を変更させることで、飛散効果を向上させることとなる。
【０１２７】
さらに、前後に設けたノズルユニット１３は、２個設けたノズル可動手段１４の動作をお互い逆方向に回転させることで、片方が正回転で、もう片方が逆回転の回転運動を可能とし、送風パターンを変更することで、乾燥室３ｃ内部の気流を錯乱させることで、飛散効果を向上させることとなる。
【０１２８】
また、前後に設けたノズルユニット１３は、手検知後に制御部７からの指示で、ノズル可動手段１４に最適な回転指示をパターン化し、送風パターンを構築することで、最適な水分飛散方法で効率的かつ効果的に向上させることとなる。
【産業上の利用可能性】
【０１２９】
本発明の手乾燥装置は、レストランやホテルなどの洗面所やトイレに設置され、また病院や手術室や調理場においても適用できる。
【符号の説明】
【０１３０】
１      本体
２      電動送風機
２ａ    第１電動送風機
２ｂ    第２電動送風機
２ｃ    第３電動送風機
３      乾燥室
３ａ    第１乾燥室
３ｂ    第２乾燥室
３ｃ    乾燥室
４      手検知部
４ａ    第１手検知部
４ｂ    第２手検知部
４ｃ    第３手検知部
４ｄ    第４手検知部
４ｅ    第５手検知部
４ｆ    第６手検知部
４ｇ    第７手検知部
４ｈ    第８手検知部
５      吸気口
６      ノズル部
６ａ    第１ノズル部
６ｂ    第２ノズル部
６ｃ    第３ノズル部
６ｄ    第４ノズル部
６ｅ    第５ノズル部
６ｆ    第６ノズル部
６ｇ    第７ノズル部
６ｈ    第８ノズル部
６ｉ    第９ノズル部
６ｊ    第１０ノズル部
６ｋ    第１１ノズル部
６ｌ    第１２ノズル部
６ｍ    第１３ノズル部
６ｎ    第１４ノズル部
６ｏ    第１５ノズル部
６ｐ    第１６ノズル部
６ｑ    第１７ノズル部
６ｒ    第１８ノズル部
６ｓ    第１９ノズル部
６ｔ    第２０ノズル部
６ｕ    第２１ノズル部
７      制御部
８      排水口
８ａ    第１排水口
８ｂ    第２排水口
９      ドレン配管
９ａ    第１ドレン配管
９ｂ    第２ドレン配管
１０    ドレンタンク
１１    風路
１１ａ  第１風路
１１ｂ  第２風路
１１ｃ  第３風路
１２    ダンパー
１２ａ  第１ダンパー
１２ｂ  第２ダンパー
１３    ノズルユニット
１３ａ  第１ノズルユニット
１３ｂ  第２ノズルユニット
１４    ノズル可動手段
１４ａ  第１ノズル可動手段
１４ｂ  第２ノズル可動手段
１５    記憶装置
【図１】
2011177464.tif 000003
【図２】
2011177464.tif 000004
【図３】
2011177464.tif 000005
【図４】
2011177464.tif 000006
【図５】
2011177464.tif 000007
【図６】
2011177464.tif 000008
【図７】
2011177464.tif 000009
【図８】
2011177464.tif 000010